(57)【要約】  本発明は、化学分析の対象である液体、半固体または固体溶液抽出用のピペット・チップ・デバイス及びその使用方法である。本ピペットチップ抽出デバイスは、その狭い下端における、固体粒子状物質を包含するためのスクリーンまたはフィルタと、その広い上端におけるバリアとを含む。オプションである上部フリットは、溶液が通って流れることを許容する材料で製造されるべきものである。バリア及びスクリーンに加えて、ピペットチップ抽出デバイスは、固相吸着剤を含んでもよい。取外し可能なキャップの使用によって、ピペット抽出チップは、（例えば、固体試料を含む試料を直に捕集するために）試料をチップの上端へ届けることができる試料捕集容器またはチップとしての働きをしてもよい。また、液−液−固相抽出を使用する新しいＤＰＸ抽出方法も開示する。
2010529416.tif 000002
【特許請求の範囲】
【請求項１】
１つまたは複数の化学試料、化合物または干渉物質を処理するために使用される使い捨てのピペットチップであって、前記ピペットチップは上部のバリアと下部の液体透過性クロージャとを備える使い捨てピペットチップ。
【請求項２】
直径２００ミクロン未満の粒子サイズを有する吸着物質をさらに備え、前記吸着物質は、任意選択として前記試料、化合物または干渉物質の処理を助ける添加剤を含む、請求項１記載の使い捨てピペットチップ。
【請求項３】
前記吸着物質のサイズは５〜４０ミクロンの範囲内である、請求項２記載の使い捨てピペットチップ。
【請求項４】
前記吸着剤には、
スチレンジビニルベンゼン（ｓｄｖｂ）及びヒドロキシル化基またはスルホン化基またはアミノ化基等の官能化ｓｄｖｂから成るグループから選択される１つまたは複数の物質、
ポリアミノ、
１級−２級アミン（ｐｓａ）、
アミノプロピル基またはアミノアルキル基、
アルミナ（塩基性、酸性または中性）、
フロリジル、
小粒子サイズのシリカゲルまたは官能化シリカゲル、
Ｃ８、Ｃ１８または他のアルキル官能化物質、
Ｎａ２ＳＯ４、ＭｇＳＯ４またはＣａＳＯ４（乾燥用）、
珪藻土、
セファデックス、
ポリエチレン、
抗体（または他の蛋白質）固定化粒子、
分子インプリント高分子、
セファデックス、
様々な孔サイズの高分子、及び、
陰イオン交換／陽イオン交換吸着物質、が含まれる、請求項２記載の使い捨てピペットチップ。
【請求項５】
前記上部のバリアは液体透過性フリットを備える、請求項１記載の使い捨てピペットチップ。
【請求項６】
前記バリアは、前記ピペットチップの頂部への溶液添加を許容するために使用されるアダプタから成る、請求項１記載の使い捨てピペットチップ。
【請求項７】
前記アダプタは、より大きいサイズのピペット、注入器、注入デバイスまたは他の正圧または負圧デバイスと共に使用される、請求項６記載の使い捨てピペットチップ。
【請求項８】
前記アダプタは取外し可能なキャップとして機能する、請求項６記載の使い捨てピペットチップ。
【請求項９】
前記アダプタは、自動化機器による前記ピペットチップの輸送を助けるか、前記ピペットチップの使用を許容する、請求項６記載の使い捨てピペットチップ。
【請求項１０】
前記アダプタは、ねじキャップ、ルアー・ロック・フィッティング、セプタムフィッティング、Ｏ−リングフィッティングまたは摩擦フィッティングシールより成るグループから選択される、請求項６記載の使い捨てピペットチップ。
【請求項１１】
前記アダプタは、前記ピペットチップの処理中に続いて穿孔される場合のある、前記チップ内に物質を包含するシールまたは薄膜を含む、請求項６記載の使い捨てピペットチップ。
【請求項１２】
前記ピペットチップは試料捕集に使用される、請求項１記載の使い捨てピペットチップ。
【請求項１３】
前記下部の液体透過性クロージャは、ステンレス鋼スクリーン、多孔質高分子、多孔質ガラスまたは多孔質セラミック材料で構成される、請求項１記載の使い捨てピペットチップ。
【請求項１４】
前記アダプタは、プラスチック、金属またはゴム材料で構成される、請求項６記載の使い捨てピペットチップ。
【請求項１５】
試料または、化学化合物と干渉物質との混合物から１つまたは複数の化合物または干渉物質を抽出するための方法であって、
試料溶液を請求項２記載のピペットチップ内へ引き入れることと、
試料溶液と吸着物質とを混合することと、
試料溶液を計量分配することと、
底部から洗浄溶液を引き入れる、または前記ピペットチップの頂部を介して洗浄溶液を添加することによって吸着剤を洗浄することと、
洗浄溶液を計量分配することと、
底部から溶出溶剤を引き入れる、または前記ピペットチップの頂部から溶出溶剤を添加することによって溶出溶剤を添加することと、
次に、続いて分析されるようにピペットチップから溶出を計量分配することを含む方法。
【請求項１６】
前記試料は前記ピペットチップの頂部へ導入される、請求項１５記載の抽出方法。
【請求項１７】
前記ピペットチップは、直径１００ミクロン未満の粒子サイズを有する吸着物質をさらに含み、前記吸着物質は、任意選択として、前記試料、混合物または干渉物質の処理を助ける添加剤を含む、請求項１５記載の抽出方法。
【請求項１８】
前記吸着剤には、
スチレンジビニルベンゼン（ｓｄｖｂ）及びヒドロキシル化基またはスルホン化基またはアミノ化基等の官能化ｓｄｖｂから成るグループから選択される１つまたは複数の物質、
ポリアミノ、
１級−２級アミン（ｐｓａ）、
アミノプロピル基またはアミノアルキル基、
アルミナ（塩基性、酸性または中性）、
フロリジル、
小粒子サイズのシリカゲルまたは官能化シリカゲル、
Ｃ８、Ｃ１８または他のアルキル官能化物質、
Ｎａ２ＳＯ４、ＭｇＳＯ４またはＣａＳＯ４（乾燥用）、
珪藻土、
セファデックス、
ポリエチレン、
抗体（または他の蛋白質）固定化粒子、
分子インプリント高分子、
セファデックス、
様々な孔サイズの高分子、及び、
陰イオン交換／陽イオン交換吸着物質、が含まれる、請求項１５記載の抽出方法。
【請求項１９】
前記上部のバリアは、液体透過性フリット、アダプタまたはキャップより成るグループから選択される、請求項１５記載の抽出方法。
【請求項２０】
添加される試料は、全血、組織、組織ホモジネート、血清または廃水を含む粘性の液体または半固体溶液である、請求項１６記載の方法。
【請求項２１】
抽出されるべき粘性の液体、半固体または固体試料を捕集する方法であって、
請求項１記載のピペットチップの上部のバリアを取り除くステップと、
前記ピペットチップの頂部へ前記試料を添加するステップと、
前記バリアを取り付け直すステップとを含む方法。
【請求項２２】
前記試料は綿棒または類似の材料を含む、請求項１６記載の抽出方法。
【請求項２３】
試料または、化学化合物と干渉物質との混合物から１つまたは複数の化合物または干渉物質を抽出するための方法であって、
試料溶液を請求項２記載のピペットチップ内へ引き入れることと、
試料溶液と吸着剤とを混合することと、
前記試料溶液とは不混和である別の溶剤を引き入れることと、
前記吸着剤と２つの溶液とを混合することと、
下側の溶液を１つの容器内へ計量分配することと、
次に、上側の溶液を別の容器内へ計量分配することを含む方法。
【請求項２４】
試料マトリクス成分を除去するための抽出方法であって、
試料溶液をピペット・チップ・デバイス内へ引き入れるステップと、
前記試料溶液と吸着剤とを混合するステップと、
後続の分析用に試料溶液を試料バイアル内へ計量分配するステップとを含む方法。
【請求項２５】
前記試料は前記ピペットチップの頂部へ導入される、請求項２４記載の方法。
【請求項２６】
前記方法は、法医学的証拠を捕集しかつ保存するために使用される、請求項２１記載の方法。
【請求項２７】
前記混合方法は空気または別のガスを吸引することによって達成される、請求項１５記載の方法。
【請求項２８】
前記添加剤は緩衝塩を含む、請求項２記載の使い捨てピペットチップ。
【請求項２９】
前記ピペットチップは、ＨＰＬＣ分析用の使い捨てガードカートリッジとして使用される、請求項２記載の使い捨てピペットチップ。
【発明の詳細な説明】
【発明の分野】
【０００１】
本出願は、２００７年２月２１日に出願された米国特許仮出願番号第６０／９０２，４６３号、及び２００７年１１月１３日に出願された米国特許仮出願番号第６０／９８７５７８号に対する優先権を主張するものであり、これらの仮出願は共に本参照によりそのまま開示に含まれる。
【０００２】
本発明は、化学分析用の試料調製の間に使用される抽出及び／または試料捕集デバイスに関する。
【発明の背景】
【０００３】
化学分析用試料調製デバイスは、ピペットチップを利用する多くのタイプが開発されてきている。ピペットチップを使用する主たる優位点は、自動化されたロボット液体ハンドラで容易に使用される場合があることにある。利用可能なこれらのチップは全て、液体試料溶液の、溶液をピペットチップの狭い底部から出し入れする処理に焦点を当てたものである。さらに、これらの製品は全て、低圧アプリケーションでのみ処理することができる。これらのチップは、高い逆圧を引き起こすことから、極めて大きい表面積を有する小粒子サイズの吸着剤を使用することができない。これらの発明は何れも、ピペットチップの上端の広い開口からは溶液を導入しない。
【０００４】
残念ながら、これらの発明は、全血等の粘性のある液体試料溶液の分析に対しては効果的でない。これらのデバイスは何れも、蛋白質沈澱、遠心沈澱または濾過等の何らかの類の試料前処理なしでは、廃水または組織ホモジネート等の半固体試料を処理することができない。また、これらのピペット・チップ・デバイスの何れも、固体試料の直接的分析に使用することはできない。
【０００５】
従って、化学分析用の液体、半固体及び固体試料溶液の処理に使用できるピペット・チップ・デバイスに対するニーズが存在する。
【発明の概要】
【０００６】
その主たる、かつ広く表明された態様によれば、本発明は、化学分析の対象である液体、半固体または固体溶液を抽出するためのピペット・チップ・デバイスと、その使用方法である。本ピペットチップ抽出デバイスは、その狭い下端における固体粒子状物質を包含するためのスクリーンまたはフィルタと、その広い上端におけるバリアとを含む。このバリアは、フリット、アダプタ、キャップまたはフィッティングと称されてもよく、交換可能式に使用されてもよい。上端のフリットは、溶液が通って流れることを許容する物質で製造されるべきものであり、かつ上端のフリットはオプションであってもよく、ＤＰＸチップの頂部において、取外し可能なキャップ、アダプタ、ルアー・ロック・フィッティング、２方または３方（またはマルチポート）弁フィッティング、Ｏ−リングフィッティングまたはセプタムキャップ等の他のフィッティングで置換されてもよい。
【０００７】
アダプタは、ロボット計装上でのピペットチップの動作を容易にするように設計されてもよい。アダプタの外側に溝を組み込むことにより、ロボットグリッパは、チップを拾い上げて、これを試料管及びバイアル等の様々なロケーションへ移動させることができる。アダプタの内部は、液体溶剤及びガスを比較的高圧で吸引しかつ計量分配できるように、注射針を有する気密シールになるように設計される。さらに、アダプタは、試料処理に先行してチップ内部で物質を包含するシールとなる薄膜を含んでもよい。
【０００８】
バリア及びスクリーンに加えて、ピペットチップ抽出デバイスは固相吸着剤を含んでもよい。この場合、ピペット抽出チップは改良型の使い捨てピペット抽出（ＤＰＸ）チップであり、溶剤及び試料溶液をその上端の広い開口へ導入する能力を有する。吸着剤は、卓越した抽出効率をもたらす直径５〜２０ミクロンの小粒子サイズであってもよい。このような小粒子サイズの使用は高圧（ＨＰ）を必要とし、よって、これらのＨＰ−ＤＰＸチップは高圧アプリケーションを与えるアダプタの使用を必要とする。また吸着剤は、試料の処理を助ける、例えば緩衝剤または緩衝塩である任意選択の添加物も含有することができる。
【０００９】
ＨＰ−ＤＰＸチップに加えて、ＤＰＸ−ＣＵと呼ばれる他の吸着剤を使用して望ましくない試料マトリクスを抽出しかつ除去し、溶液を「クリーンアップ」してもよい。他の吸着剤物質としては、免疫親和性アプリケーション用抗体（ＤＰＸ−ＩＡ）、陽イオン交換アプリケーション用（ＤＰＸ−ＣＸ）及び陰イオン交換アプリケーション用（ＤＰＸ−ＡＸ）官能化基及び分子量分離用有孔物質（ＤＰＸ−ＭＷ）が含まれる。
【００１０】
ＤＰＸの別のアプリケーションは、液体クロマトグラフィのための試料調製（ＤＰＸ−ＬＣｐｒｅｐ）である。これらのチップは、望ましくない化合物を抽出すると同時に粒状物質を濾過する、という二重の目的を有する。ＤＰＸ−ＬＣｐｒｅｐチップは、ＨＰＬＣカラムを防護してその寿命を延ばしかつクロマトグラフ分離を向上させるために使用される。
【００１１】
取外し可能なキャップの使用により、ピペット抽出チップは、試料をチップの先端へ送り届けることのできる試料捕集容器またはチップ（ＳＣ−Ｔｉｐ）として機能してもよい。この場合、ピペット抽出チップは、固体試料を含む試料の直接的捕集分野において使用可能である。ＳＣ−Ｔｉｐのスクリーンは、抽出プロセスに続いて存在する場合のある粒状物質を除去しかつ濾過する濾過媒体として使用される。これは、固体試料の直接的処理に使用されてもよいピペット抽出デバイスの唯一のアプリケーションを表す。
【００１２】
また、液−液−固相抽出を使用するＤＰＸ抽出の新規方法も開示する。この固有の抽出方法は、検体の抽出及びアプリケーションを大幅に拡大させる。
【００１３】
下記の図面に加えられる「好適な実施形態の詳細な説明」を精読すれば、当業者には、本発明の他の特徴及び優位点が明らかとなるであろう。
【図面の簡単な説明】
【００１４】
【図１】ＨＰ−ＤＰＸチップを示す断面略図である。
【図２Ａ】注入デバイスによりＨＰ−ＤＰＸチップの先端への接続用に使用され得る幾つかのキャップまたはアダプタまたはフィッティングの断面を示す略図である。
【図２Ｂ】注入デバイスによりＨＰ−ＤＰＸチップの先端への接続用に使用され得る幾つかのキャップまたはアダプタまたはフィッティングの断面を示す略図である。
【図２Ｃ】注入デバイスによりＨＰ−ＤＰＸチップの先端への接続用に使用され得る幾つかのキャップまたはアダプタまたはフィッティングの断面を示す略図である。
【図２Ｄ】注入デバイスによりＨＰ−ＤＰＸチップの先端への接続用に使用され得る幾つかのキャップまたはアダプタまたはフィッティングの断面を示す略図である。
【図２Ｅ】注入デバイスによりＨＰ−ＤＰＸチップの先端への接続用に使用され得る幾つかのキャップまたはアダプタまたはフィッティングの断面を示す略図である。
【図３】ピペット・チップ・デバイスの好適な実施形態を示す略図である。
【図４Ａ】テトラヒドロカナビノール（ＴＨＣ）及びカルボキシ−ＴＨＣ（ＣＯＯＨ−ＴＨＣ）のＤＰＸ抽出物のクロマトグラム（ＧＣ／ＭＳ）を示す。
【図４Ｂ】テトラヒドロカナビノール（ＴＨＣ）及びカルボキシ−ＴＨＣ（ＣＯＯＨ−ＴＨＣ）のＤＰＸ抽出物のクロマトグラム（ＧＣ／ＭＳ）を示す。
【図５】ＤＰＸ−ＬＣｐｒｅｐに包含されるステップを示す略図である。
【図６】使い捨てガードカートリッジ及び濾過の使用に続く検体の高速ＤＰＸ抽出を包含するＤＰＸ−ＬＣｐｒｅｐを伴うＨＰ−ＤＰＸのタンデム使用を示す略図である。
【図７Ａ】ＤＰＸ（Ｂ）及びＨＰ−ＤＰＸ（Ａ）によりレタスから抽出された幾つかの一般的な農薬を示すＧＣ／ＭＳクロマトグラムである。
【図７Ｂ】ＤＰＸ（Ｂ）及びＨＰ−ＤＰＸ（Ａ）によりレタスから抽出された幾つかの一般的な農薬を示すＧＣ／ＭＳクロマトグラムである。
【図８】ＤＰＸ−ＣＸを使用して尿から抽出された塩基性薬物を示すクロマトグラム（ＧＣ／ＭＳ）である。
【図９】コーンミールからの２０ｐｐｂアフラトキシンＢ１のＤＰＸ−ＩＡ抽出（ピーク時６．４分）に続いて記録されたＨＰＬＣクロマトグラム（蛍光検出による）を示す。
【図１０Ａ】ＤＰＸ−ＣＵによるクリーンアップステップを伴うＤＰＸ（Ａ）及び伴わないＤＰＸ（Ｂ）により抽出された空の胃の内容物（飼料）を示すクロマトグラム（ＧＣ／ＭＳ）である。
【図１０Ｂ】ＤＰＸ−ＣＵによるクリーンアップステップを伴うＤＰＸ（Ａ）及び伴わないＤＰＸ（Ｂ）により抽出された空の胃の内容物（飼料）を示すクロマトグラム（ＧＣ／ＭＳ）である。
【図１１Ａ】試料の現場捕集、並びに試料処理に使用されるべきアダプタ付きピペット抽出チップの能力を実証する試料捕集チップ（ＳＣ−Ｔｉｐ）を示す。
【図１１Ｂ】試料の現場捕集、並びに試料処理に使用されるべきアダプタ付きピペット抽出チップの能力を実証する試料捕集チップ（ＳＣ−Ｔｉｐ）を示す。
【発明の詳細な説明】
【００１５】
最近は、多くの新しい吸着物質が開発されてきていて、これらの物質の吸着剤としての使用がＤＰＸ方法論のケイパビリティを大いに拡大している。また、これらの物質の多くをＤＰＸアプリケーション用に使用するためには、ＤＰＸ設計の修正を組み込まなければならない。
【００１６】
ＤＰＸに対する主たる改良は、小粒子サイズの吸着物質を使用することによる高性能ＳＰＥの開発である。これらのＤＰＸチップは、高性能ＤＰＸまたはＨＰ−ＤＰＸと称される。小粒子サイズ物質は直径２００ミクロンまでの範囲であり、好適には１００ミクロンまで、より好適には５〜４０ミクロンの範囲内、かつ最も好適には５〜２０ミクロンの範囲内である。これらの物質の使用は、より高い逆圧を生成し、よって、抽出を実行するためには比較的高い圧力を必要とする。従って、ＨＰ−ＤＰＸチップを規格ピペット上へ単に押し嵌めするだけでは、これらの抽出を達成することができない。よって、ＨＰ−ＤＰＸチップへの出し入れに溶液を移動させるためには、従来の規格チップ用ピペットで使用される、より大きい力の量が必要とされる。例えば、１ｍＬのＨＰ−ＤＰＸチップでは、容積１ｍＬのピペット（または注入器）をそのまま使用することはできず、代わりに、容積５ｍＬの注入またはピペットデバイスが必要とされる。５ｍＬのＨＰ−ＤＰＸチップの場合、溶液を効率的に抽出するためには、１０ｍＬまたは２５ｍＬの注入デバイスさえも必要とされる。
【００１７】
これらのＨＰ−ＤＰＸチップを特異にする別の特徴は、溶液とこれらの物質の多くとの混合が「ゲル」を生成することにある。即ち、溶液は均質的であり、よって、卓越した抽出効率及び高速平衡をもたらす。ＨＰ−ＤＰＸのこの固有の混合は、これらの特定の物質をＤＰＸ技術に適した理想的なものにする。この混合を容易に達成する１つの方法は、空気または別のガスをＤＰＸチップ内へ吸引するというものであり、この空気の流れによって小さい泡が形成され、これにより試料溶液の摂動が起こって完全な混合が招来される。この混合の方法は、ロボット液体ハンドラで容易に行うことができる。
【００１８】
図１は、ＨＰ−ＤＰＸチップの略図を示す。ＨＰ−ＤＰＸチップのこの断面略図は、液体透過膜で構成されたオプションである第２のフリット（上部バリア２２）と、緩く包含された小粒子サイズ（直径５〜４０ミクロン等）の吸着物質または他の官能化吸着粒子（１８）とを示している。空隙（１０）はＤＰＸの混合室を示し、チップの底部（１２）は、極小開口または細孔（直径２ミクロン、または５ミクロン、または１０ミクロン等）を含む近接スクリーンまたはフリット（２４）を有する開口（１４）を含む。スクリーン（２４）は、ステンレス鋼、多孔質高分子材料、多孔質ガラス、多孔質セラミックまたは他の類似材料で構成されてもよい。このデバイスの主たる改良点は、異なる吸着物質が開示され、かつ上部フリット（バリア）が液体透過性であるように製造されかつオプションであることにある。様々な吸着物質には、スチレンジビニルベンゼン：ｓｄｖｂ（直径５〜４０ミクロン）及び例えばヒドロキシル化基またはスルホン化基またはアミノ化基を含む官能化ｓｄｖｂ、１級−２級アミン（ｐｓａ）、アミノプロピル基またはアミノアルキル基、アルミナ（塩基性、酸性または中性）、フロリジル、小粒子サイズのシリカゲル、Ｃ８、Ｃ１８及び官能化Ｃ８またはＣ１８材料、Ｎａ２ＳＯ４、ＭｇＳＯ４またはＣａＳＯ４（乾燥用）、珪藻土、セファデックス及びポリエチレンが含まれる。
【００１９】
小粒子サイズ吸着物質の使用は、回収及び抽出効率を劇的に向上させるが、抽出を実行すべくこれらのチップを確実に接続するためには、ＤＰＸチップの頂部にアダプタまたはキャップまたはフィッティングが必要である。アダプタまたはキャップまたはフィッティングは、何れで称されるとしても、プラスチック、金属またはゴムで構成されてもよく、かつ使い捨てである場合も、再使用可能である場合もある。アダプタとのこのより密な嵌め合いにより、より高い圧力でもチップを「飛び跳ね」させることがなく、またはチップが外れた状態になることはない。図２は、セプタム（Ａ）またはルアー・ロック・フィッティング・アダプタ（Ｂ）を示す略図である。この場合、注射針または注入器を使用して、各々、セプタムを穿孔し、またはアダプタへ直に接続することができる。図２Ｃでは、注射針と共に摩擦シールを形成するアダプタも使用することができる。図２Ｄでは、Ｏ−リングシールを使用して注射針、弁、ルアー・ロック・フィッティングまたは他の任意の類似フィッティングのためのシールをもたらすことができる。最後の図２Ｅでは、アダプタは、ＤＰＸチップの頂部へ液体溶剤（またはガス）を添加するための分離線を含んでもよく、かつこの場合は、チップ内部に吸着剤（または試料）を包含するためのフリットが示されている。
【００２０】
これらのアダプタは全て、液体ロボットハンドラのトランスポートアダプタとして使用されるべく修正されることが可能である。これらは、チップ内部の内容物を包含するキャップとして使用できるようにシールまたは薄膜も含んでもよく、かつこの膜はこの後、抽出方法に作用すべく貫通されることが可能である。また、全てのアダプタは、チップの開閉を容易にするねじキャップであってもよい。図３は、アダプタの好適な一実施形態を示す。デバイスの部分は、アダプタ（１）と、ピペットチップ（２）と、吸着剤または試料（３）と、液体透過性クロージャ（４）とを含む。アダプタは、ロボット液体ハンドラ及びピペットチップ内に内容物を包含するキャップの動作を容易にするように設計される。その主たる特徴は、ロボット機器デバイスへの確実な付着のための溝及びリッジであり、ＨＰ−ＤＰＸアプリケーションの高圧に耐え得ること、物質をピペット・チップ・デバイス内に包含するための薄膜を有すること、かつ試料捕集用ピペット・チップ・デバイス（ＳＣ−Ｔｉｐアプリケーション）を開閉するためのキャップとして取り外せるという能力を有することにある。
【００２１】
これらのタイプのアダプタの場合、セプタムまたはアダプタがＤＰＸチップ内部に緩い吸着粒子を包含するように作用することから、上部フリットは不要である。故に、上部フリットはオプションである。フリットが存在しなければ、溶出溶剤等の溶液をＤＰＸチップの「頂部」へ添加することは遙かに容易である。
【００２２】
アプリケーション及び方法によっては、頂部へ添加される溶液がより良い結果をもたらすものがあることが判定されている。原初のＤＰＸ設計では、上部バリアは溶液に不浸透性であるように指示されていたが、この原初の設計は、ＤＰＸチップの頂部へ溶液を添加する方法を組み込んでいなかった。例えば、ＴＨＣ（テトラヒドロカナビノール：マリファナの有効成分）分析用の５：１ヘキサン−エチルアセテート及び全血からのその代謝産物を使用する溶出は、溶出溶剤を、底部からの引き入れではなくＤＰＸチップの頂部へ添加する場合に最も良く実行される。底部からの溶出は、ＤＰＸチップの狭い端（図１の位置１４）からの溶液の引き入れを指し、頂部からの溶出は、ＤＰＸチップの「頂部」におけるアダプタの位置（図２）からの溶出溶剤の添加を指す。
【００２３】
図４は、底部からの溶出溶剤（Ｂ）及び頂部からの溶出（Ａ）を使用したＤＰＸ抽出に続くＴＨＣ及びその主たる代謝産物ＣＯＯＨ−ＴＨＣのＧＣ／ＭＳクロマトグラムを示す。（注意：このアプリケーションにおける全てのクロマトグラムは強度計数と時間との関係を示す。）この例では、上部バリアは、溶液が妨害なしに通過することを見込んだ多孔質高分子材料で製造されていた。ＣＯＯＨ−ＴＨＣの強度を表すピークは、頂部からの溶出の方が遙かに高い。溶出溶剤を頂部に添加する必要性は、ＨＰ−ＤＰＸチップを使用する場合でより顕著である。ＨＰ−ＤＰＸチップでは、底部からの溶出の場合、溶出溶剤が吸着剤を通って戻る際のより広い表面積によって検体に滞留が生じ、結果的に回収は低下する。
【００２４】
ＤＰＸチップの頂部への溶剤添加を容易にするために、アダプタは３方（またはマルチ）弁を使用する。これは、注入デバイスまたはピペットからＤＰＸチップを取り外す必要なしに溶剤が頂部へ容易に添加されることを可能にする。
【００２５】
他の吸着物質の使用も、塩基性薬物の検出に有益であることが分かっている。これらの化合物は、酸性化され、次に陽イオン交換（ＤＰＸ−ＣＸ）メカニズムを使用して抽出されてもよい。同様に、これは、酸性薬物（または化合物）の抽出及び分析用に実行されてもよいが、これらの溶液は、まず塩基性にされて化合物がマイナス帯電にされ、続いて、陰イオン交換吸着剤を有するＤＰＸチップ（ＤＰＸ−ＡＸ）を使用して抽出される。
【００２６】
他のＤＰＸ吸着物質は、分子量または分子サイズまたは分子形状を基礎として検体を抽出しかつ分離するための様々な孔サイズの使用も含んでもよい。これらのＤＰＸチップは、ＤＰＸ−ＭＷと称される。
【００２７】
最後に、ＤＰＸチップは、様々な検体の選択的抽出用に吸着粒子上で不動にされる抗体（または他の蛋白質）も含んでもよい。これらのＤＰＸチップは、免疫親和性のためのＤＰＸ−ＩＡと称される。ＤＰＸ−ＩＡの使用は、特定の検体をほんの一瞬で選択的に抽出することを可能にし、ＤＰＸ設計の使用は、検体が抗体に迅速に混合しかつ結合し、検体を試料マトリクスから分離しかつ分析対象である検体を溶出することを可能にする。これらのＤＰＸ−ＩＡチップは、ＥＬＩＳＡ（酵素結合免疫吸着測定法）、ＦＰＩＡ（蛍光偏光免疫測定法）、ＥＩＡ（酵素免疫測定法）、ＲＩＡ（放射性免疫測定法）または免疫親和性技術を基礎とする他の類似の診断技術等の診断検査における使用に広範な実施を見出す場合がある。ＤＰＸ−ＩＡを使用すれば、スクリーニング方法は、規格プレートを使用して現時点で達成される速度より遙かに高速で実行される場合がある。
【００２８】
ＤＰＸ方法は、その原初の設計では、特定の検体の抽出に焦点を当てたものであった。しかしながら、様々な試料マトリクス内の化学物質の分析は、試料マトリクス成分の量が多いことに起因して問題が多い。これらのマトリクス化合物は、定性分析及び定量分析データの双方を分かりにくくする干渉を引き起こす場合がある。一例は、穀物製品または肝臓標本における脂肪酸の存在である。ＤＰＸの新規かつ改良された特徴は、クリーンアップステップで使用するための試料マトリクス干渉物の抽出に関するものであり、これらはＤＰＸ−ＣＵ（クリーンアップ用）と称される。ＤＰＸ−ＣＵ手順は、弱い、または強い陰イオン交換（ＳＡＸ）樹脂を使用して脂肪酸成分を除去してもよい。ＤＰＸ−ＣＵ用吸着物質としての他の可能性としては、ポリアミノ、１級−２級アミン（ＰＳＡ）、アミノアルキル基、フロリジル、アルミナ（中性、塩基性または酸性）、シリカゲル、修飾シリカゲル、分子インプリント高分子、固有親和型物質（抗体、蛋白質または特有の蛋白質を除去する固定化化合物等）、セファデックス、様々な孔サイズの高分子及び陰イオン交換／陽イオン交換吸着物質が含まれる。
【００２９】
ＤＰＸ−ＣＵに使用される方法は超高速であって、達成に要する時間は約３０秒またはそれ以下であり、典型的には１０秒という短速である。この高速は、溶液はチップへ引き入れられかつチップから引き抜かれ、または単にチップ頂部を介して計量分配されて干渉が除去され、よって洗浄ステップと溶出ステップとの分離が不要であるという事実に起因する。
【００３０】
ＤＰＸの別の改良点は、ＨＰＬＣ分析を準備するためのデバイスとしてのその使用に関連し、ＤＰＸ−ＬＣｐｒｅｐと称される。ＨＰＬＣ分析では、クロマトグラフに注入されるべき溶液はまず濾過プロセスを受ける。これは、ＨＰＬＣカラム及び計装を詰まらせて損傷させる場合のある粒状物質を確実に除去するために行われる。さらに、典型的には、クロマトグラフカラムの汚染防止のためにＨＰＬＣガードカラムは使用される。これらのガードカラムは、ＨＰＬＣカラムの固定相と同等または極めて類似する固相粒子（吸着剤）を含む。ガードカラムの使用はＨＰＬＣカラムを保護するが、これらは不可避的に幾分かの分解能損失を生じさせる。ガードカラムの使用概念は、ＨＰＬＣカラムの固定相物質に不可逆的に結合する化合物は何れも、まずガードカラムに結合するということにある（しばしばプレカラムと称される）。幾つかの分析の後、ガードカラム内のパッキング及びスクリーンは、最適なクロマトグラフ性能をもたらすために交換される。多くの場合、まず性能の損失が認められ、ガードカラムに交換の必要があるという指針または早期警告として使用される。これより遙かに優れたアプローチは、ＨＰＬＣカラムを保護しかつ各分析が再生可能であることを保証する使い捨てのガードカラムを組み入れることである。
【００３１】
ＤＰＸ−ＬＣｐｒｅｐの場合、チップは、使い捨てのガードカラム及び濾過デバイスの双方として機能するように使用される。ＤＰＸ−ＬＣｐｒｅｐチップは、Ｃ１８またはこれに類似する相等のＨＰＬＣカラムと同じタイプのパッキングで構成されることが可能であり、これは、Ｃ１８へ不可逆的に結合する場合のある溶液内の任意の汚染物が、ＤＰＸ−ＬＣｐｒｅｐチップ内に含まれる吸着剤へ結合することによって溶液から除去されることを保証する。底部フリット（スクリーン）は液体透過性であって濾過デバイスとしても作用し、粒状物質が溶液から除去されることを保証する。これらのＤＰＸ−ＬＣｐｒｅｐチップは、試料溶液を頂部へ導入することによって使用されるべきものであり、これにより、濾過デバイスとして作用する底部フリットの使用が許容される。
【００３２】
この場合、ＤＰＸ−ＬＣｐｒｅｐ吸着剤は試料溶液と混合されるべきではなく、むしろ、溶液は頂部を突き抜ける。図５は、このプロセスに使用されるステップの一例を示す。ステップ１は、試料溶液（ｂ）を注入器（ａ）でＤＰＸ−ＬＣｐｒｅｐチップ（ｃ）内へ注入することを含む。ステップ２は、試料溶液を、ＤＰＸ−ＬＣｐｒｅｐチップを介して空のバイアル（ｄ）内へ計量分配することを含む。最終ステップ３は、清浄かつ濾過された試料溶液をバイアル（ｆ）内に捕集することを含み、試料マトリクス成分は吸着剤（ｅ）上に保持される。
【００３３】
図６は、検体の高速ＤＰＸ抽出を包含するためのＤＰＸ−ＬＣｐｒｅｐを有するＨＰ−ＤＰＸのタンデム使用、及びこれに続く使い捨てガードカラム（またはカートリッジ）及び濾過のためのＤＰＸ−ＬＣｐｒｅｐの使用を示す略図である。これは、これらの手順の自動化に関する実行可能性も実証している。この略図は、溶出ステップの間のＨＰ−ＤＰＸチップ（１）と、ＨＰ−ＤＰＸチップをＤＰＸ−ＬＣｐｒｅｐチップ（３）へ接続するアダプタシール（２）と、条件付きＬＣ媒体（４）と、濾過スクリーン（５）と、注入されかつ分析されるべき「クリーン」な最終的溶出を捕集するためのＨＰＬＣバイアル（６）とを示している。この場合、ＤＰＸ−ＬＣｐｒｅｐチップのアダプタ（２）は、別のピペットチップ及び／またはＤＰＸチップと共に密封を形成するように設計される。この手順が容易に自動化されることは、注目に値する。
【００３４】
別の主たる特徴は、ＤＰＸ−ＬＣｐｒｅｐチップが、クロマトグラフィの実行に使用可能な充填カラムとしても作用してもよいことにある。故に、チップは、クロマトグラフィ分析用の安価で持ち運びのできる方法のための検体を分離するために使用可能なクロマトグラフィ媒体として使用されることが可能である。これは、ＤＰＸ−ＣＨＲＯＭ（クロマトグラフィ用）と称される。
【００３５】
ＤＰＸ抽出を実行するための方法は、液−液−固相抽出を効率的かつ高速で実行するために使用されてもよい。吸着剤を特定の溶剤と混合することにより、吸着剤はこの後、試料溶液と混合されることが可能である。短い平衡時間の後、溶液層は不混和であることによって分離し、吸着剤はこれらの層のうちの１つ（例えば、最上の有機層）に落ち着く。溶剤及び吸着剤を試料溶液と不混和であるように選択することは、時間のかかる遠心沈澱なしに相分離を可能にする。さらに、液−液抽出では一般的である乳濁液の形成もない。また、吸着剤は、分離された層を明示する。この液−液−固相抽出は極めて独特であり、ＤＰＸ技術による使用に理想的に適合する。
【００３６】
これらのアダプタを使用する優位点は、これらが、ＤＰＸチップが試料捕集容器用に使用されることを許容する目的に寄与する場合もあることにある（ＳＣ−Ｔｉｐ）。アダプタは、特に法医学的に興味深い採取された試料を包含するキャップとして機能してもよい。ＳＣ−Ｔｉｐは、溶液用の吸収材料並びに全血または血清捕集用抗凝固剤または凝固剤（及び防腐薬）を各々含んでもよい。またＳＣ−Ｔｉｐは、検体または試料マトリクス成分（ＤＰＸ−ＣＵチップ等）を結合して抽出する物質を含んでもよい。
【００３７】
ＳＣ−Ｔｉｐは、薬物または爆発物であることが疑われる粉末等の固体試料を捕集しかつ処理するために使用されてもよい。従来の薬物の法医学的化学分析の間、試料は、まず証拠用容器から試験管等の化学分析に適する容器内へ移される。次に、固体試料は溶剤内で溶解される。続いて、溶解された溶液が濾過され、希釈液及び充填材が除去される。次に、溶液はバイアル内へ移され、その内容物が分析される。試料がＳＣ−Ｔｉｐ内部に置かれていれば、これらのステップを全て遙かに容易かつ効率的に実行することができる。手動処理または自動化を介して、ＳＣ−Ｔｉｐ内部の内容物は、内部へ引き入れられて混合される溶剤によって処理されることが可能であり、溶液は、１つのステップで迅速かつ容易に計量分配されかつ濾過されることが可能である。証拠のロボットによる取扱いは、試料の取扱い誤りを防止し、分析時間を短縮し、汚染防止によって証拠の完全性を向上させかつ分析過程管理を安全なものにする。
【００３８】
ＳＣ−Ｔｉｐは、法医学的証拠の最高のセキュリティ及び完全性を提供する。原初の証拠捕集の間、証拠がＳＣ−Ｔｉｐ内部に置かれれば、証拠の直接的な取扱いは、捕集時及び研究室における化学試料処理の際にのみ発生する。ＳＣ−Ｔｉｐは、捕集後に証拠テープで密封され、次に法医学研究室へ提出されて分析されてもよい。ＳＣ−Ｔｉｐは、証拠捕集の間、またはこれに続く法医学研究室での証拠提出の間の何れかで添付される、ＳＣ−Ｔｉｐ及びその内容物を一意に識別するバーコードラベルを含んでもよい。さらに、ＳＣ−Ｔｉｐは捕集に先立って予め計量されてもよく、これに続いて定量化学分析のための計量が行われる。
【００３９】
下記の例は、本明細書に開示している発明の例示を目的とするものであり、限定するためのものではない。
【実施例】
【００４０】
（実施例１）
混和されたレタス抽出物からＤＰＸ及びＨＰ−ＤＰＸを使用して抽出された有機リン酸エステル（一般的な農薬、即ちプロメトン、クロロタロニル及びクロルピリホス）の回収の比較を、図７に示す。ＨＰ−ＤＰＸ（Ａ）の使用に続いて達成されたＧＣクロマトグラムにおけるピークは、ＤＰＸ（Ｂ）により達成されたものより遙かに高い。より高い回収は、より小さい粒子サイズの物質によるより大きい表面積の結果である。これらの抽出が、３方弁アダプタを使用する頂部からの溶出によって達成されたことは留意されるべきである。  
【００４１】
（実施例２）
尿から塩基性薬物を抽出するためのＤＰＸ−ＣＸの一例を、図８に示す。尿は、０．５ｐｐｍで塩基性薬物の混合物でスパイクされ、０．２ｍＬが抽出された。図は、結果として生じたクロマトグラムを示す。塩基性薬物は全て、ＤＰＸ−ＣＸチップを使用して２分足らずで迅速に抽出されかつ効率的に回収された（＞９０％）。分析された薬物は、メタドン（１）、メタカロン（２）、アミトリプチリン（３）、コカイン（４）、イミプラミン（５）、ドキセピン（６）、デシプラミン（７）、ＳＫＦ（内標準（８））、コデイン（９）及びオキシコドン（１０）であった。これらのチップにより、ある方法を使用して関心のある任意の塩基性薬物を効果的に抽出しかつ実際的に分析することができる。この例は、生物学的マトリクスから塩基性薬物を抽出するための最速かつ最も効率的な方法を表している。
【００４２】
（実施例３）
図９に描いたＨＰＬＣクロマトグラムにより、ＤＰＸ−ＩＡの一例を例示する。コーンミールからの２０ｐｐｂアフラトキシンＢ１のＤＰＸ−ＩＡ抽出（ピーク時６．４分）に続いて、ＨＰＬＣクロマトグラム（蛍光検出による）が記録された。アフラトキシンＢ１は、トウモロコシ及びトウモロコシを基礎とする製品等の食品において普通にスクリーンされる猛毒物質である。この抽出は、この種のうちで最も選択的かつ高速であることを表し、（試料混和に続いて）実行に要する時間は９０秒足らずである。メタノール（またはアセトンまたは他の溶剤）の添加は抗体を変性させ、よって結合検体を「剥離」させる。抗体の高い選択的結合に起因して、検体濃度が低い場合であっても、試料マトリクス成分からは僅かな干渉が発生する。試料マトリクスと溶剤との混和の後、抽出に要した時間は、クロマトグラフィ分析（ピーク時６．４分（矢印）はアフラトキシンＢ１）より遙かに短かった。
【００４３】
（実施例４）
ＤＰＸ−ＣＵを使用した場合と使用しなかった場合の胃の内容物のＤＰＸ抽出のＧＣ／ＭＳクロマトグラムを、図１０に示す。ＤＰＸ−ＣＵを使用しなかった場合のクロマトグラム（Ｂ）は、圧倒的に脂肪酸から成る試料マトリクス化合物に関連づけられる強いピークを特徴としている。これらのピークは、関心対象である検体の潜在的に共溶出するピークの分析に干渉する。ＤＰＸ−ＣＵの使用に続いて達成されるクロマトグラム（Ａ）は、ｙ軸のスケールが約５０分の１（Ｂにおける１．１ｘ１０８に比べてＡでは４．５ｘ１０６）であっても干渉ピークを示さない。
【００４４】
（実施例５）
図１１Ａでは、法病理学者により１ｍＬの全血が捕集され、バーコードでラベリングされかつ吸収材（３）及びスクリーン（４）を含むＳＣ−Ｔｉｐ（２）の頂部へ注入されている。トランスポートアダプタとしても作用するキャップ（１）はＳＣ−Ｔｉｐ上へ固定的に置かれて上に証拠テープが貼られ、続いて、テープ及び（対応するバーコードラベルが付された）証拠提出書類に法病理学者のイニシャル及び時刻が記入される。ピペットチップのアダプタ及び頂部は、ねじキャップとして使用されるようにねじ切りされてもよい。また、チップ底部（狭い端）における小さいプラグまたはキャップも、ＤＰＸ捕集チップを完全に密封するために使用されてもよい。試料は、綿棒（Ｂ）であっても、試料を捕集するための類似の物質であってもよい。証拠は、検査のために研究所へ出荷される。証拠が受け取られると、ＳＣ−Ｔｉｐは即座にバーコードスキャナで走査され、ロボットで処理されるべくラックに置かれる。証拠が手動で移送されることはない。分析過程管理は、試料捕集によって始まり（病理学者）、過程内で他の何れとも「リンク」することなく化学分析で終わる。分析は、ほぼ試料の受取りと同時に開始され、中断時間はほとんどなく事例所要時間が促進される。
【００４５】
（実施例６）
法執行官は、日常的に交通を遮断し、疑わしい粉末剤のバッグに注意を向ける。法執行官は、この試料で満たされた小型のへらを（バーコードでラベリングされた）ＳＣ−Ｔｉｐ内へ置き、チップ上へキャップまたはアダプタを被せ、証拠テープを貼り、証拠テープ及び対応する証拠提出書類に自らのイニシャル及び日時を記入する。（また法執行官は、残りの証拠も必要に応じた計量及び再分析用に保持する。）証拠は研究室へ出荷され、ＳＣ−Ｔｉｐは即時遅滞なくロボットにより処理される。分析は、証拠事務書類がコンピュータまたは研究室の情報管理システムへ提出される前に開始される。
【００４６】
（実施例７）
図１１Ｂでは、試料スワブがＳＣ−Ｔｉｐの内部に含まれている。スワブは、１）容疑者（または犯人）から採取したＤＮＡ、２）採取した口腔液からの薬物、及び３）銃器関連容疑者の手からの発砲残渣粒子、を分析するために、ロボットを使用して直に処理されてもよい。ロボット工学は、キャピラリ電気泳動、ＧＣ−ＭＳ若しくはＨＰＬＣ−ＭＳ／ＭＳ、または、ＤＮＡ、薬物若しくは爆発物または発砲残渣粒子を分析するためのＩＣＰまたはＩＣＰ／ＭＳ計装へ各々結合されてもよい。
【００４７】
一般的な当業者は、本発明がこれまでに記述した特有の実施形態に限定されず、本明細書に開示している発明と同等の変形も包含することを認識するであろう。
【図１】
2010529416.tif 000003
【図２Ａ】
2010529416.tif 000004
【図２Ｂ】
2010529416.tif 000005
【図２Ｃ】
2010529416.tif 000006
【図２Ｄ】
2010529416.tif 000007
【図２Ｅ】
2010529416.tif 000008
【図３】
2010529416.tif 000009
【図４Ａ】
2010529416.tif 000010
【図４Ｂ】
2010529416.tif 000011
【図５】
2010529416.tif 000012
【図６】
2010529416.tif 000013
【図７Ａ】
2010529416.tif 000014
【図７Ｂ】
2010529416.tif 000015
【図８】
2010529416.tif 000016
【図９】
2010529416.tif 000017
【図１０Ａ】
2010529416.tif 000018
【図１０Ｂ】
2010529416.tif 000019
【図１１Ａ】
2010529416.tif 000020
【図１１Ｂ】
2010529416.tif 000021
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
１つまたは複数の化学試料、化合物または干渉物質を処理するために使用される使い捨てのピペットチップであって、前記ピペットチップは上部のバリア、下部の液体透過性クロージャ、前記上部のバリアと前記下部の液体透過性クロージャとの間の混合室とを備える使い捨てピペットチップ。
【請求項２】
直径２００ミクロン未満の粒子サイズを有する吸着物質をさらに備え、前記吸着物質は、任意選択として前記試料、化合物または干渉物質の処理を助ける添加剤を含み、前記吸着物質は前記混合室を完全には充填しない、請求項１記載の使い捨てピペットチップ。
【請求項３】
前記吸着物質のサイズは５〜４０ミクロンの範囲内である、請求項２記載の使い捨てピペットチップ。
【請求項４】
前記吸着剤には、
スチレンジビニルベンゼン（ｓｄｖｂ）及びヒドロキシル化基またはスルホン化基またはアミノ化基等の官能化ｓｄｖｂから成るグループから選択される１つまたは複数の物質、
ポリアミノ、
１級−２級アミン（ｐｓａ）、
アミノプロピル基またはアミノアルキル基、
アルミナ（塩基性、酸性または中性）、
フロリジル、
小粒子サイズのシリカゲルまたは官能化シリカゲル、
Ｃ８、Ｃ１８または他のアルキル官能化物質、
Ｎａ２ＳＯ４、ＭｇＳＯ４またはＣａＳＯ４（乾燥用）、
珪藻土、
セファデックス、
ポリエチレン、
抗体（または他の蛋白質）固定化粒子、
分子インプリント高分子、
セファデックス、
様々な孔サイズの高分子、及び、
陰イオン交換／陽イオン交換吸着物質、が含まれる、請求項２記載の使い捨てピペットチップ。
【請求項５】
前記上部のバリアは液体透過性フリットを備える、請求項１記載の使い捨てピペットチップ。
【請求項６】
前記バリアは、前記ピペットチップの頂部への溶液添加を許容するために使用されるアダプタから成る、請求項１記載の使い捨てピペットチップ。
【請求項７】
前記アダプタは、より大きいサイズのピペット、注入器、注入デバイスまたは他の正圧または負圧デバイスと共に使用される、請求項６記載の使い捨てピペットチップ。
【請求項８】
前記アダプタは取外し可能なキャップとして機能する、請求項６記載の使い捨てピペットチップ。
【請求項９】
前記アダプタは、自動化機器による前記ピペットチップの輸送を助けるか、前記ピペットチップの使用を許容する、請求項６記載の使い捨てピペットチップ。
【請求項１０】
前記アダプタは、ねじキャップ、ルアー・ロック・フィッティング、セプタムフィッティング、Ｏ−リングフィッティングまたは摩擦フィッティングシールより成るグループから選択される、請求項６記載の使い捨てピペットチップ。
【請求項１１】
前記アダプタは、前記ピペットチップの処理中に続いて穿孔される場合のある、前記チップ内に物質を包含するシールまたは薄膜を含む、請求項６記載の使い捨てピペットチップ。
【請求項１２】
前記ピペットチップは試料捕集に使用される、請求項１記載の使い捨てピペットチップ。
【請求項１３】
前記下部の液体透過性クロージャは、ステンレス鋼スクリーン、多孔質高分子、多孔質ガラスまたは多孔質セラミック材料で構成される、請求項１記載の使い捨てピペットチップ。
【請求項１４】
前記アダプタは、プラスチック、金属またはゴム材料で構成される、請求項６記載の使い捨てピペットチップ。
【請求項１５】
試料または、化学化合物と干渉物質との混合物から１つまたは複数の化合物または干渉物質を抽出するための方法であって、
試料溶液を請求項２記載のピペットチップ内へ引き入れることと、
試料溶液と吸着物質とを混合することと、
試料溶液を計量分配することと、
底部から洗浄溶液を引き入れる、または前記ピペットチップの頂部を介して洗浄溶液を添加することによって吸着剤を洗浄することと、
洗浄溶液を計量分配することと、
底部から溶出溶剤を引き入れる、または前記ピペットチップの頂部から溶出溶剤を添加することによって溶出溶剤を添加することと、
次に、続いて分析されるようにピペットチップから溶出を計量分配することを含む方法。
【請求項１６】
前記試料は前記ピペットチップの頂部へ導入される、請求項１５記載の抽出方法。
【請求項１７】
前記ピペットチップは、直径１００ミクロン未満の粒子サイズを有する吸着物質をさらに含み、前記吸着物質は、任意選択として、前記試料、混合物または干渉物質の処理を助ける添加剤を含む、請求項１５記載の抽出方法。
【請求項１８】
前記吸着剤には、
スチレンジビニルベンゼン（ｓｄｖｂ）及びヒドロキシル化基またはスルホン化基またはアミノ化基等の官能化ｓｄｖｂから成るグループから選択される１つまたは複数の物質、
ポリアミノ、
１級−２級アミン（ｐｓａ）、
アミノプロピル基またはアミノアルキル基、
アルミナ（塩基性、酸性または中性）、
フロリジル、
小粒子サイズのシリカゲルまたは官能化シリカゲル、
Ｃ８、Ｃ１８または他のアルキル官能化物質、
Ｎａ２ＳＯ４、ＭｇＳＯ４またはＣａＳＯ４（乾燥用）、
珪藻土、
セファデックス、
ポリエチレン、
抗体（または他の蛋白質）固定化粒子、
分子インプリント高分子、
セファデックス、
様々な孔サイズの高分子、及び、
陰イオン交換／陽イオン交換吸着物質、が含まれる、請求項１５記載の抽出方法。
【請求項１９】
前記上部のバリアは、液体透過性フリット、アダプタまたはキャップより成るグループから選択される、請求項１５記載の抽出方法。
【請求項２０】
添加される試料は、全血、組織、組織ホモジネート、血清または廃水を含む粘性の液体または半固体溶液である、請求項１６記載の方法。
【請求項２１】
抽出されるべき粘性の液体、半固体または固体試料を捕集する方法であって、
請求項１記載のピペットチップの上部のバリアを取り除くステップと、
前記ピペットチップの頂部へ前記試料を添加するステップと、
前記バリアを取り付け直すステップとを含む方法。
【請求項２２】
前記試料は綿棒または類似の材料を含む、請求項１６記載の抽出方法。
【請求項２３】
試料または、化学化合物と干渉物質との混合物から１つまたは複数の化合物または干渉物質を抽出するための方法であって、
試料溶液を請求項２記載のピペットチップ内へ引き入れることと、
試料溶液と吸着剤とを混合することと、
前記試料溶液とは不混和である別の溶剤を引き入れることと、
前記吸着剤と２つの溶液とを混合することと、
下側の溶液を１つの容器内へ計量分配することと、
次に、上側の溶液を別の容器内へ計量分配することを含む方法。
【請求項２４】
試料マトリクス成分を除去するための抽出方法であって、
試料溶液を請求項２記載のピペットチップ内へ引き入れるステップと、
前記試料溶液と吸着剤とを混合するステップと、
後続の分析用に試料溶液を試料バイアル内へ計量分配するステップとを含む方法。
【請求項２５】
前記試料は前記ピペットチップの頂部へ導入される、請求項２４記載の方法。
【請求項２６】
前記方法は、法医学的証拠を捕集しかつ保存するために使用される、請求項２１記載の方法。
【請求項２７】
前記混合方法は空気または別のガスを吸引することによって達成される、請求項１５記載の方法。
【請求項２８】
前記添加剤は緩衝塩を含む、請求項２記載の使い捨てピペットチップ。
【請求項２９】
前記ピペットチップは、ＨＰＬＣ分析用の使い捨てガードカートリッジとして使用される、請求項２記載の使い捨てピペットチップ。
【請求項３０】
固体または半固体試料を抽出する方法であって、
試料を請求項１記載のピペットチップの頂部へ添加することと、
溶剤をチップの底部から引き入れることと、
空気を吸引して溶剤と試料とを混合することと、
次に、続いて分析されるようにピペットチップから抽出溶剤を計量分配することを含む方法。
【請求項３１】
固体または半固体試料を抽出する方法であって、
試料を請求項１記載のピペットチップの頂部へ添加することと、
溶剤をチップの頂部から混合室内へ計量分配することと、
空気を吸引して試料と溶剤とを混合することと、
続いて分析されるようにピペットチップから抽出溶剤を計量分配することを含む方法。
【請求項３２】
前記バリアは、前記ピペットチップの頂部への溶液添加を許容するように使用されるアダプタから成る、請求項２記載の使い捨てピペットチップ。
【請求項３３】
第２のピペットチップから請求項３２記載のピペットチップの頂部を介して溶液を計量分配しかつ試料バイアルに清浄な溶出を捕集する方法であって、
溶液を含む前記第２のピペットチップを請求項３２記載のアダプタ内へ挿入することと、
吸着剤及び請求項３２記載のピペットチップ内の下部の液体透過性クロージャを介して溶液を計量分配することと、
前記試料バイアルに清浄な溶出を捕集することを含む方法。
【手続補正２】
【補正対象書類名】図面
【補正対象項目名】図１
【補正方法】変更
【補正の内容】
【図１】
2010529416.tif 000022
【国際調査報告】
2010529416.tif 000023